(57)【要約】【課題】集塵フィルタの経時的な集塵効率の低下を防止して長期に亘り高い集塵効率を保持し、室内空間を快適に保つことのできる自動帯電集塵装置及びこれを組込んだ空気調和機を提供する。【解決手段】放電電極２１、放電電極２１と対向して配設された接地電極２５、及び放電電極２１と接地電極２５との間に高電圧を印加する高圧電源を備えた帯電ユニット２０を有し、この帯電ユニット２０により、放電電極２１と接地電極２５との間を可動する集塵フィルタ１０に電荷を帯電させるように構成した。【選択図】図１
2009198077.tif 000002
【特許請求の範囲】
【請求項１】
放電電極、該放電電極と対向して配設された接地電極、及び前記放電電極と接地電極との間に高電圧を印加する高圧電源を備えた帯電ユニットを有し、
該帯電ユニットにより、前記放電電極と接地電極との間を可動する集塵フィルタに電荷を帯電させるように構成したことを特徴とする自動帯電集塵装置。
【請求項２】
前記帯電ユニットの近傍に、前記可動する集塵フィルタの表面に摺接する回転ブラシを備えたダストボックスを設けたことを特徴とする請求項１記載の自動帯電集塵装置。
【請求項３】
放電電極、該放電電極と対向して配設された接地電極、及び前記放電電極と接地電極との間に高電圧を印加する高圧電源を備えた帯電ユニットを有し、
該帯電ユニットを、前記放電電極と接地電極との間に配設された集塵フィルタに沿って可動させ、前記帯電ユニットにより、前記集塵フィルタに電荷を帯電させるように構成したことを特徴とする自動帯電集塵装置。
【請求項４】
前記帯電ユニットの近傍に、前記集塵フィルタの表面に摺接する回転ブラシを有し、前記帯電ユニットと一体的に可動するダストボックスを設けたことを特徴とする請求項３記載の自動帯電集塵装置。
【請求項５】
吸込口、該吸込口から空気を吸引する送風機、吹出口、及び前記吸込口の下流側に設けられ駆動ユニットにより一方向又は左右方向若しくは上下方向に可動する集塵フィルタを有し、
前記集塵フィルタに、請求項１又は２記載の自動帯電集塵装置を組込んだことを特徴とする空気調和機。
【請求項６】
吸込口、該吸込口から空気を吸引する送風機、吹出口、及び前記吸込口の下流側に設けられた集塵フィルタを有し、
前記集塵フィルタに、請求項３又は４記載の自動帯電集塵装置を組込んだことを特徴とする空気調和機。
【請求項７】
吸込口、該吸込口から空気を吸引する送風機、吹出口、及び前記吸込口の下流側に設けられ駆動ユニットにより回転駆動される円形の集塵フィルタを有し、
前記集塵フィルタの半径方向に、請求項１に記載の自動帯電集塵装置を組込んだことを特徴とする空気調和機。
【請求項８】
前記自動帯電集塵装置の下部に、請求項２に記載のダストボックスを設けたことを特徴とする請求項７記載の空気調和機。
【請求項９】
前記放電電極を、平板突起状、針状、ワイヤ線又は平板で構成し、その放電部の板厚を０．１ｍｍ以下に形成したことを特徴とする請求項１〜８のいずれかに記載の自動帯電集塵装置又は空気調和機。
【請求項１０】
前記ダストボックスの上部に放電電極を搭載したことを特徴とする請求項２，４〜６，８のいずれかに記載の自動帯電集塵装置又は空気調和機。
【請求項１１】
前記ダストボックスに設けた回転ブラシにより、前記集塵フィルタが捕捉した塵埃を掻き落したのちに、前記帯電ユニットにより前記集塵フィルタに電荷を帯電させることを特徴とする請求項２，４〜６，８〜１０記載の自動帯電集塵装置又は空気調和機。
【発明の詳細な説明】
【技術分野】
【０００１】
本発明は、大気中の塵埃を捕捉する電荷を保持する集塵フィルタに帯電させるための帯電手段を備えた自動帯電集塵装置、及びこの自動帯電集塵装置を組込んだ空気調和機に関するものである。
【背景技術】
【０００２】
従来の集塵装置は、単に大気中の塵埃を物理的に捕捉する集塵フィルタや、集塵フィルタに電荷を保持させることにより、電気的に大気中の塵埃を捕捉する帯電フィルタを用いて集塵する場合が多かった。
しかし、これらの集塵フィルタは、大気中の塵埃を捕捉することで性能が低下し、圧力損失が増大するという問題があった。そのため、これらの集塵フィルタを水洗い等により洗浄して塵埃を除去しているが、帯電集塵フィルタの場合、水洗い等により電荷を失って集塵効率が低下し、初期の性能まで回復しないという問題があった。また、物理的に大気中の塵埃を捕捉する集塵フィルタの場合は、もともと集塵性能が低いという問題があった。
【０００３】
このような問題を解決するために、空気調和機前面枠の内側に高電圧が導通する電線を配置し、枠の前面に配置された樹脂製の枠を有する除塵フィルタの前面側表面を導電性を有する塗料でコーティングすることによって、両者間にコンデンサを形成して除塵フィルタの表面に電荷を帯電させ、この帯電した除塵フィルタに空気が流入することで空気中の塵埃が吸着されるようにした帯電集塵装置が提案されている（例えば、特許文献１参照）。
【０００４】
【特許文献１】特開２００６−１３０３９８号公報（第４−５頁、図１−２）
【発明の開示】
【発明が解決しようとする課題】
【０００５】
特許文献１の帯電集塵装置では、集塵した塵埃が堆積して集塵性能が低下するのを防止することができない。また、表面電位が低いため、集塵効率が低いという問題があった。
【０００６】
本発明は、上記の課題を解決するためになされたもので、集塵フィルタの経時的な集塵効率の低下を防止して長期に亘り高い集塵効率を保持し、室内空間を快適に保つことができる自動帯電集塵装置及びこれを組込んだ空気調和機を提供することを目的とするものである。
【課題を解決するための手段】
【０００７】
本発明に係る自動帯電集塵装置は、放電電極、該放電電極と対向して配設された接地電極、及び前記放電電極と接地電極との間に高電圧を印加する高圧電源を備えた帯電ユニットを有し、該帯電ユニットにより、前記放電電極と接地電極との間を可動する集塵フィルタに電荷を帯電させるように構成したものである。
【０００８】
また、本発明に係る空気調和機は、上記の自動帯電集塵装置を組込んだものである。
【発明の効果】
【０００９】
本発明に係る自動帯電集塵装置及びこれを組込んだ空気調和機によれば、塵埃の捕捉及び清掃によって電荷を失った集塵フィルタに、帯電ユニットにより自動的に電荷を再帯電して電荷の保持量を回復することができるので、長期に亘って高い集塵効率を保つことができ、清浄で快適な室内空間を得ることができる。
【発明を実施するための最良の形態】
【００１０】
［実施の形態１］
図１は本発明の実施の形態１に係る自動帯電集塵装置を組込んだ空気調和機の断面図、図２は図１の要部の説明図である。
両図において、ケース本体１の前面側には開閉可能な前面パネル２が設けられており、上面にはグリル状の空気の吸込口３が形成されている。また、吸込口３の下流側には熱交換器４が配設され、その下流側には吸込口３から外気を吸引する送風機５が設置されており、その下流側にはダクト６を介して空気の吹出口７が設けられて、吸込口３から吹出口７の間が送風路となっている。
【００１１】
また、吸込口３と熱交換器４との間には、枠体に装着されたポリプロピレン、ポリエチレンテレフタレートなどからなり、空気中の塵埃を捕捉する電荷が帯電された円弧状の帯電集塵フィルタ１０（以下、単に集塵フィルタという）が配設されている。そして、この集塵フィルタ１０は、モータの如き駆動ユニット（図示せず）に駆動され、内側に設けたフィルタレール１１に沿って図の矢印ａ方向又はｂ方向（以下、左右方向と記すことがある）に移動（以下、可動ということもある）しうるようになっている。
【００１２】
１５は集塵フィルタ１０の上流側（前面側）の一方の側（図１の左側）において、集塵フィルタ１０に近接して配置され、集塵フィルタ１０に捕捉された塵埃を回収するダストボックスである。このダストボックス１５の上部には、集塵フィルタ１０の短手方向の長さＷ（図３）とほぼ等しい長さで、外周に複数の傾斜パイル１８ａを有し、駆動ユニット（図示せず）により矢印Ｃ方向に回転して、集塵フィルタ１０に捕捉された塵埃を掻き落す回転ブラシ１８が設けられている。なお、回転ブラシ１８を駆動する駆動ユニットを省略し、集塵フィルタ１０を可動する駆動ユニットと連結して駆動するようにしてもよい。また、ダストボックス１５の下部には、集塵回収箱１６が着脱可能に収容されており、ダストボックス１６の内側の上下方向のほぼ中間部には、回転ブラシ１８の傾斜パイル１８ａに付着した塵埃を掻き落す掻き落し板１７が設けられている。
【００１３】
ダストボックス１５の上部には放電電極２１が設けられており、集塵フィルタ１０の背面側には、放電電極２１と対向して、例えば、メッシュ状、格子状、平板状の金属材料又は導電性樹脂からなる接地電極２５が設けられている。そして、放電電極２１と接地電極２５との間には、両電極２１，２５間に直流のプラス又はマイナスの高電圧（５〜１０ｋＶ）を印加する高圧直流電源２６（図３）が搭載されており、これら放電電極２１、接地電極２５及び高圧直流電源２６により、集塵フィルタ１０に電荷を帯電させる帯電ユニット２０を構成している。そして、帯電ユニット２０又はダストボックス１５と帯電ユニット２０とにより自動帯電集塵装置を構成する。なお、放電電極２１は集塵フィルタ１０の前面側から５〜１０ｍｍ離れた位置に配置され、接地電極２５は集塵フィルタ１０の背面側に接して配置されている。また、放電電極２１をダストボックス１５に設けた場合を示したが、別に設けてもよい。
【００１４】
図４は本実施の形態に用いた平板突起状（櫛歯状）の放電電極２１の説明図である。この放電電極２１は、集塵フィルタ１０の短手方向の長さＷ（図３）とほぼ等しい長さで、例えば、板厚Ｅが０．００５〜０．３ｍｍのステンレス、銅等の金属板からなり、帯部２２の長手方向には、間隔が９〜１９ｍｍで、長さが２〜５ｍｍ、基部の幅が０．５〜１ｍｍ、先端部の曲率半径が０．０１〜０．１ｍｍの複数の突起２３（放電部）を設けたものである。
【００１５】
放電電極２１をこのように構成することにより、図３に示すように、集塵フィルタ１０を放電電極２１と接地電極２５の間を矢印ｂ方向に可動させ、両電極２１，２５の間に高電圧を印加して気中放電を発生させることにより、集塵フィルタ１０の全領域にわたって電荷を帯電させることができ、また、オゾンの発生を抑制することができる。
【００１６】
次に、上記のように構成した本実施の形態の作用について説明する。
上述のような自動帯電集塵装置を組込んだ空気調和機において、通常は、送風機５によって吸引された空気中に含まれる塵埃を集塵フィルタ１０が捕捉して空気を清浄化すると共に、熱交換器４への塵埃の付着を防止する。そして、塵埃が除去された清浄な空気は、熱交換器４によって冷却又は加熱され、冷風又は温風となって吹出口７から室内に吹出される。
【００１７】
一定時間経過すると、制御装置（図示せず）の指令又は手動により送風機５が停止し、集塵フィルタ１０が駆動ユニットにより駆動されて、フィルタレール１１に沿って一定速度で矢印ａ方向に可動する。このとき、回転ブラシ１８は駆動ユニットにより矢印Ｃ方向に回転し、傾斜パイル１８ａにより集塵フィルタ１０に捕捉された塵埃を掻き落し、清浄する。そして、回転ブラシ１８の傾斜パイル１８ａに付着した塵埃は、掻き落し板１７により掻き落され、ダストボックス１５の塵埃回収箱１６に回収される。
【００１８】
このようにして清掃された集塵フィルタ１０は、全面の清掃が終って他端まで移動すると、駆動ユニットが逆回転して一定速度で矢印ｂ方向へ可動する。そして、集塵フィルタ１０が矢印ｂ方向に可動を開始すると同時に、帯電ユニット２０の放電電極２１と接地電極２５との間に、高圧直流電源２６から高電圧が印加され、両電極２１と２６との間に気中放電を発生させる。集塵フィルタ１０はこの気中放電により、塵埃の清掃によって失われた電荷が再び帯電して復活し、高効率の集塵性能を保つことができる。
【００１９】
このように、本実施の形態に係る自動帯電集塵装置によれば、集塵フィルタ１０を矢印ａ方向に可動させて捕捉した塵埃を回転ブラシ１８により除去し、ついで集塵フィルタ１０を矢印ｂ方向に可動させて、放電電極２１と接地電極２５との間を通過させることにより、両電極２１と２５との間に発生した気中放電により、清掃によって失った電荷を再び帯電させ電荷の保持量を回復することができる。なお、ダストボックス１５の塵埃回収箱１６が塵埃で一杯になったときは、ダストボックス１５から取出して塵埃を廃棄する。
【００２０】
図５に、放電電極２１と接地電極２５との間に、直流５ｋＶの高電圧を１０分間印加した場合の、集塵フィルタ１０の帯電前後の集塵効率の変化を、また、図６に直流６ｋＶの高電圧を１分間印加した場合の、集塵フィルタ１０の帯電前後の集塵効率の変化を示す。
両者とも空気中に含まれる塵埃を、集塵フィルタ１０に風速１ｍ／ｓで通過させたときの、粒子の差を計数して集塵効率としたものである。なお、横軸は塵埃の粒径別とした。
【００２１】
集塵フィルタ１０に捕捉した塵埃が堆積して、電荷を失った状態を想定して水道水で洗浄し、乾燥後に放電電極２１と接地電極２５との間に前述の高電圧を印加した。
図から明らかなように、洗浄後の集塵フィルタ１０は電荷を失い、集塵効率が低下している。そして、帯電ユニット２０により集塵フィルタ１０は再び帯電され、初期状態に近い状態まで集塵効率が回復することがわかる。
【００２２】
上記の説明では、帯電ユニット２０に平板突起状の放電電極２１を用いた場合を示したが、本発明はこれに限定するものではなく、例えば、針状やワイヤ線からなる放電電極、あるいは平板からなる放電電極を用いてもよい。
平板からなる放電電極を用いる場合、接地電極に対して低電圧、低エネルギで放電を発生させるためには、板厚が重要であり、気中放電発生のためには端面（放電部）の板厚が０．１ｍｍ以下であることが必要で、このように構成することにより、低エネルギで気中放電を発生させることができる。
【００２３】
図７、図８は平板からなる放電電極の一例の説明図である。
図７（ａ）の放電電極２１は、平板２４そのものの板厚Ｅを０．１ｍｍ以下に加工し、端部を接地電極２５に対向するように折曲げて、放電部２４ａを形成したものである。この場合、薄い金属板を切断して形成してもよいが、切断面が放電部２４ａとなるため、切断面を滑らかに加工することが必要である。なお、薄い金属板を加工する代りに、タングステン等の太いワイヤ線を圧延して薄い板状に加工してもよい。
【００２４】
図７（ｂ）の放電電極２１は、板厚Ｅの平板２４の端部を折曲げて、その先端部を圧延し板厚Ｅより薄い０．１ｍｍ以下の板厚Ｆとして、放電部２４ａを形成したものである。
また、図７（ｃ）は、図７（ｂ）の場合と同様に、板厚Ｅの平板の端部を折曲げてその先端部を斜めに切除して、板厚Ｆが０．１ｍｍ以下の放電部２４ａを形成したものである。
さらに、図８（ｄ）は、板厚Ｅの平板２４の端部を折曲げて、先端部を上面を円弧状に加工して０．０１ｍｍ以下の放電部２４ａを形成し、図８（ｅ）は、板厚Ｅの端部を折曲げて、その先端部を曲率半径が０．０１〜０．１ｍｍになるように加工して放電部２４ａを形成したものである。
【００２５】
平板からなる放電電極２１を上記のように構成することにより、放電部２４ａの端面の電界強度が高まり、放電し易くすることができる。また、電流の急激な上昇が押えられて、電流制御が容易になる。なお、図７、図８の例では、平板２４の端部を折曲げて放電部２４ａを形成した場合を示したが、図のように折曲げることなく、放電電極２１と接地電極２５とが垂直に対向するような角度になっていればよい。
【００２６】
上記の説明では、帯電ユニット２０を備えた空気調和機に、集塵フィルタ１０に捕捉された塵埃を回収するダストボックス１５と、このダストボックス１５に設置され、集塵フィルタ１０に堆積した塵埃を掻き落す回転ブラシ１８とを設けた場合を示したが、これらを省略し、フィルタレール１１を含む集塵フィルタ１０及び放電電極２１、接地電極２５及び高圧直流電源２６を有する帯電ユニット２０のみを設けてもよい。
【００２７】
この場合は、集塵フィルタ１０に捕捉された塵埃は、使用者が掃除機で吸い取ったり、取外して水道水などで洗浄して清掃すればよいが、このようにして清掃すると、集塵フィルタ１０に帯電した電荷が失われるので、前述の要領で清掃後の集塵フィルタ１０を可動させ、帯電ユニット２０により気中放電させて再帯電させればよい。
【００２８】
また、上記の説明では、集塵フィルタ１０を円弧状に形成してａ，ｂ方向に移動させる場合を示したが、空気調和機の構造によっては直線状に形成してもよく、また、一方向のみに可動させるようにしてもよい。さらに、空気調和機の構造や集塵フィルタ１０の形状によっては、集塵フィルタ１０を上下方向に可動させるようにしてもよく、これに対応して帯電ユニット２０及びダストボックス１５を配置すればよい。
【００２９】
上記のように構成した本実施の形態に係る自動帯電集塵装置を組込んだ空気調和機は、集塵フィルタ１０を、放電電極２１と接地電極２５との間を矢印ｂ方向（一方向）に可動させ、両電極２１と２５の間に高電圧を印加して気中放電を発生させ、清掃によって電荷を失った集塵フィルタ１０の全面に電荷を再帯電させて、電荷の保持量を回復させるようにしたので、経時的な集塵効率の低下を防止して、長期に亘り高い集塵効率を保持することができ、室内空間を快適に保つことができる。
【００３０】
また、上記の帯電ユニット２０を備えた空気調和機において、集塵フィルタ１０に近接して、塵埃を回収かつ廃棄自在のダストボックス１５を設けると共に、このダストボックス１５に、集塵フィルタ１０に堆積した塵埃を掻き落す回転ブラシ１８を設け、この回転ブラシ１８によって塵埃が掻き落されたのちに、放電電極２１と接地電極２５との間に高電圧を印加して、集塵フィルタ１０に再帯電させて電荷の保持量を回復させるようにしたので、使用者を煩わすことなく、集塵フィルタ１０を自動的に清掃し、かつ電荷を帯電させることができ、使い勝手がよく常に清潔で集塵効率の高い空気調和機を得ることができる。
【００３１】
［実施の形態２］
実施の形態１では、放電電極２１、接地電極２５及び高圧直流電源２６からなる帯電ユニット２０を固定し、集塵フィルタ１０を放電電極２１と接地電極２５の間を一方向又は左右若しくは上下方向に可動させて、清掃により電荷を失った集塵フィルタ１０に電荷を再帯電させる場合について説明した。
【００３２】
本実施の形態は、集塵フィルタ１０を着脱可能に固定し、その前面と背面に放電電極２１と接地電極２５を対向配置した帯電ユニット２０を、集塵フィルタ１０に沿って一方向又は左右若しくは上下方向に一定速度で移動させ、集塵フィルタ１０に電荷を再帯電させるようにしたものである。なお、回転ブラシ１８を有するダストボックス１５を設ける場合は、帯電ユニット２０と一体化して移動させるようにすればよい。
本実施の形態においても、実施の形態１の場合とほぼ同様の効果を得ることができる。
【００３３】
［実施の形態３］
図９は本発明の実施の形態３に係る空気清浄機能を有する空気調和機の前面パネルを取外した状態を示す斜視図、図１０は図９の縦断面図である。なお、実施の形態１と同じ部分にはこれと同じ符号を付し、説明を省略する。
両図において、本体ケース１ａの前面側にはグリル状の吸込口３ａを有する前面パネル２ａが着脱可能に装着されており、前面パネル２ａの下流側には実施の形態１と同じ材料からなる円形の集塵フィルタ３０が配設されている。
【００３４】
この集塵フィルタ３０は、内側に内歯歯車３２ａを有するリング状の外枠３２、中心部に設けたボス３３と外枠３２を連結する複数のリブ３４ａ及びボス３３と同心的に設けられてリブ３４ａを連結する複数の円形リブ３４ｂからなる枠体３１の前面側に取付けられている。
そして、集塵フィルタ３０は、枠体３１に設けたボス３３が、円形の開口部３６を有する四角形状の取付フレーム３５の開口部３６の背面側に設けたほぼコ字状の支持枠３７に突設した軸３８に嵌合され、開口部３６内に回転自在に支持されており、内歯歯車３２ａと噛合う駆動ユニット３９の歯車に駆動されて、矢印ｄ方向に回転駆動される。なお、４０は取付フレーム３５に設けられた複数の集塵フィルタ押えである。
【００３５】
１５は実施の形態１のダストボックス１５とほぼ同じ機能で、集塵フィルタ３０の半径とほぼ等しい長さのダストボックスであり、集塵フィルタ３０の中心部近傍において半径方向にほぼ水平に設置され、回転ブラシ１８はダストボックス１５の上部に設置され、集塵フィルタ３０の前面に摺接するようになっている。なお、本実施の形態においては、回転ブラシ１８は集塵フィルタ３０の駆動ユニット３９に連結されて回転駆動されるようになっているが、別に回転ブラシ１８の駆動ユニットを設けてもよい。また、帯電ユニット２０の放電電極２１は、ダストボックス１５に搭載してもよく、あるいは別に設けてもよい。
【００３６】
２０は実施の形態１の帯電ユニット２０とほぼ同じ機能の帯電ユニットで、集塵フィルタ３０の半径とほぼ等しい長さの放電電極２１は、ダストボックス１５の上方において、集塵フィルタ３０の半径方向に沿ってほぼ水平に設けられており、接地電極２５は放電電極２１と対向して集塵フィルタ３０の背面に近接して設けられている。つまり、放電ユニット２０は、回転する集塵フィルタ３０のダストボックス１５からの出側に設けられている。
４１は集塵フィルタ３０の下流側に配設されて粉塵を除去する粉塵フィルタ、４２は粉塵フィルタ４１の下流側に配設された脱臭フィルタ、５ａは送風機、７ａは清浄化された空気を室内に吹出す吹出口である。なお、粉塵フィルタ４１は省略してもよい。
【００３７】
次に、上記のように構成した本実施の形態の作用について説明する。
運転を開始すると、集塵フィルタ３０は駆動ユニット３９に駆動されて矢印ｄ方向に回転し、同時に送風機５ａが駆動されて吹込口３ａから塵埃を含む室内空気が吸引される。吹込口３ａから吸引された空気に含まれる塵埃は塵埃フィルタ３０に捕捉され、さらに粉塵フィルタ４１によって粉塵が除去され、脱臭フィルタ４２により脱臭されて清浄な空気となり、吹出口７ａから室内に吹出されて室内の空気を清浄化する。
【００３８】
このとき、集塵フィルタ３０が回転を開始すると同時に、ダストボックス１５に設けた回転ブラシ１８も回転し、前述の要領で集塵フィルタ３０が捕捉した塵埃を掻き落し、ダストボックス１５に回収する。
そして、集塵フィルタ３０の塵埃が除去されて清掃されたことによって電荷が失なわれた部分（ダストボックス１５の出側）には、帯電ユニット２０によって再び電荷が帯電され、電荷の保持量が回復する。
【００３９】
このように、本実施の形態によれば、集塵フィルタ３０は、清掃によって電荷を失っても、帯電ユニット２０により常時電荷が再帯電されるので、集塵効率を常に高く保持することができる。
上記の説明では、帯電ユニット２０を常時駆動して集塵フィルタ２０に電荷を帯電させるようにしたが、集塵フィルタ２０への塵埃の付着状況によっては、回転ブラシ１８による塵埃の掻き落し及び帯電ユニット２０による集塵フィルタ３０への電荷の帯電を、集塵フィルタ３０の１回転ごとあるいは複数回転ごと、さらには一定時間ごとに間欠的に行ってもよい。
【００４０】
上記の説明では、帯電ユニット２０を備えた空気清浄機能を有する空気調和機に、回転ブラシ１８を有するダストボックス１５を設けた場合を示したが、ダストボックス１５を省略し、帯電ユニット２０のみを設けてもよい。
この場合は、集塵フィルタ３０が捕捉した塵埃は、使用者が電気掃除機で吸い取ったり、取外して水道水などで洗浄して清掃すればよく、これにより、集塵フィルタ３０に帯電した電荷が失われるので、前述の要領で集塵フィルタ３０を回転させ、帯電ユニット２０により電荷を再帯電させればよい。
【００４１】
上記のように構成した本実施の形態に係る空気清浄機能を有する空気調和機は、集塵フィルタ３０を、放電電極２１と接地電極２５との間を矢印ｄ方向に回転させ、常時又は間欠的に両電極２１と２５の間に高電圧を印加して気中放電を発生させ、清掃によって電荷を失った集塵フィルタ３０に電荷を再帯電して、電荷の保持量を回復させるようにしたので、常に集塵効率の低下を防止して、長期に亘り高い集塵効率を保持することができ、清浄で快適な室内空間を得ることができる。
【００４２】
また、上記の空気調和機において、集塵フィルタ３０に近接し、かつ帯電ユニット２０の近傍に、塵埃を回収しかつ塵埃の廃棄自在なダストボックス１５を設けると共に、このダストボックス１５に、集塵フィルタ３０に捕捉した塵埃を掻き落す回転ブラシ１８を設け、回転ブラシ１８によって塵埃が掻き落されたのち、放電電極２１と接地電極２６との間に高電圧を印加して、集塵フィルタ３０に再帯電させて電荷の保持量を回復させるようにしたので、使用者を煩わすことなく、集塵フィルタ３０を自動的に清掃し、かつ電荷を帯電させることができるため、使い勝手がよく、常に清潔で集塵効率の高い空気清浄機能を有する空気調和機を得ることができる。
【００４３】
上記の説明では、図示の空気調和機又は空気清浄機能を有する空気調和機に、本発明に係る自動帯電集塵装置を実施した場合を示したが、これに限定するものではなく、他の構造の空気調和機にも本発明を実施することができる。
【図面の簡単な説明】
【００４４】
【図１】本発明の実施の形態１に係る自動帯電装置を組込んだ空気調和機の断面図である。
【図２】図１の要部の説明図である。
【図３】集塵フィルタへの電荷の帯電状態を示す説明図である。
【図４】図１の放電電極の説明図である。
【図５】集塵フィルタに電荷を帯電させる前後の集塵効率の変化を示すグラフである。
【図６】集塵フィルタに電荷を帯電させる前後の集塵効率の変化を示すグラフである。
【図７】放電電極の他の例の説明図である。
【図８】放電電極の他の例の説明図である。
【図９】本発明の実施の形態３に係る空気清浄機能を有する空気調和機の前面パネルを取外した状態を示す斜視図である。
【図１０】図９の縦断面図である。
【符号の説明】
【００４５】
１，１ａ  本体ケース、３，３ａ  吸込口、４  熱交換器、５，５ａ  送風機、７，７ａ  吹出口、１０，３０  集塵フィルタ、１１  フィルタレール、１５  ダストボックス、１８  回転ブラシ、２０  帯電ユニット、２１  放電電極、２５  接地電極、２６  直流高圧電源。
【図１】
2009198077.tif 000003
【図２】
2009198077.tif 000004
【図３】
2009198077.tif 000005
【図４】
2009198077.tif 000006
【図５】
2009198077.tif 000007
【図６】
2009198077.tif 000008
【図７】
2009198077.tif 000009
【図８】
2009198077.tif 000010
【図９】
2009198077.tif 000011
【図１０】
2009198077.tif 000012